(57)【要約】【課題】信頼性の高い電気泳動表示装置及び電子機器を提供すること。【解決手段】断面視において封止材が少なくとも第２基板の外側面に対して凹形状として形成されていることとしたので、少なくとも第２基板の外側面と封止材との間に空間が形成されることになる。この空間によって、急激な温度変化が生じた場合において、封止材が膨張するときのためのマージンが確保されることとなる。当該マージンを確保することにより、封止材が膨張した場合であっても、少なくとも第２基板が破損したり封止材が少なくとも第２基板から剥離したりするのを回避することができる。これにより、温度変化の激しい環境下においても破損する虞が少なく、信頼性に優れた電気泳動表示装置を得ることができる。【選択図】図３
2009217128.tif 000002
【特許請求の範囲】
【請求項１】
第１基板と、第２基板との間に電気泳動シートを挟持し、前記電気泳動シートの表示領域において前記第１基板から第２基板までを貫通する貫通孔を備えた電気泳動表示装置であって、
前記貫通孔の内部には、少なくとも前記貫通孔に露出した前記電気泳動シートの端部を封止するための封止材が設けられ、
断面視において前記封止材は、少なくとも前記第２基板の外側面に対して凹形状として形成されていることを特徴とする電気泳動表示装置。
【請求項２】
前記封止材は前記電気泳動シート及び前記第２基板に接しており、
前記封止材のうち前記第２基板に接する部分の前記貫通孔の径は、前記封止材のうち前記電気泳動シートに接する部分の前記貫通孔の径よりも大きくなっている
ことを特徴とする請求項１に記載の電気泳動表示装置。
【請求項３】
断面視において前記封止材は、前記第１基板の外側面及び前記第２基板の外側面の両方に対して凹形状として形成されている
ことを特徴とする請求項１又は請求項２に記載の電気泳動表示装置。
【請求項４】
前記封止材は前記電気泳動シート及び前記第１基板に接しており、
前記封止材のうち前記第１基板に接する部分の前記貫通孔の径は、前記封止材のうち前記電気泳動シートに接する部分の前記貫通孔の径よりも大きくなっている
ことを特徴とする請求項３に記載の電気泳動表示装置。
【請求項５】
断面視において前記封止材は、少なくとも前記第２基板の外側面に対して前記電気泳動シート側に湾曲している
ことを特徴とする請求項１から請求項４のいずれか一項に記載の電気泳動表示装置。
【請求項６】
請求項１から請求項５のうちいずれか一項に記載の電気泳動表示装置を搭載したことを特徴とする電子機器。
【発明の詳細な説明】
【技術分野】
【０００１】
本発明は、電気泳動表示装置及び電子機器に関する。
【背景技術】
【０００２】
近年、時計の文字盤などの表示部として、電気泳動表示装置が用いられるようになった。電気泳動表示装置の構成として、素子が形成された素子基板の表示領域に電気泳動シートが貼り付けられ、当該電気泳動シート上に保護基板が貼り合わされた構成が知られている。電気泳動シートは対向基板に電気泳動層及び接着層を積層した構成となっており、当該接着層を介して素子基板に貼り付けられている。上記構成の場合、素子基板や保護基板として無機ガラス基板を用いるのが一般的である。
【０００３】
電気泳動表示装置をアナログ時計の文字盤として用いる場合、時計の指針の軸を貫通させる必要性があるため、表示領域内に貫通孔が設けられている。表示領域内に貫通孔を設ける場合、貫通孔を介して水分などが電気泳動層に浸入しないように貫通孔の内面に封止材が設けられている。従来の構成では、樹脂などからなる有機材料の封止材が貫通孔の内面全体を覆うように当該貫通孔の形成方向において素子基板の表面から保護基板の表面に至るまで形成されていた。  
【特許文献１】特開２００１−７５１１２号公報
【発明の開示】
【発明が解決しようとする課題】
【０００４】
しかしながら、有機材料からなる封止材の熱膨張率は、無機材料からなる素子基板及び保護基板の熱膨張率に比べて大きいため、上記のように封止材を貫通孔の内面全体に設ける構成であると、電気泳動表示装置に急激な温度変化が生じた場合、封止材の膨張によって素子基板又は保護基板が開口部において破損したり、封止材が開口部近傍で剥離したりしてしまうといった問題があった。
【０００５】
以上のような事情に鑑み、本発明の目的は、信頼性に優れた電気泳動表示装置及び電子機器を提供することにある。
【課題を解決するための手段】
【０００６】
上記目的を達成するため、本発明に係る電気泳動表示装置は、第１基板と、第２基板との間に電気泳動シートを挟持し、前記電気泳動シートの表示領域において前記第１基板から第２基板までを貫通する貫通孔を備えた電気泳動表示装置であって、前記貫通孔の内部には、少なくとも前記貫通孔に露出した前記電気泳動シートの端部を封止するための封止材が設けられ、断面視において前記封止材は、少なくとも前記第２基板の外側面に対して凹形状として形成されていることを特徴とする。
【０００７】
本発明によれば、電気泳動シートの表示領域において第１基板から第２基板までを貫通する貫通孔の内部には、少なくとも貫通孔に露出した電気泳動シートの端部を封止するための封止材が設けられ、断面視においてこの封止材が少なくとも第２基板の外側面に対して凹形状として形成されていることとしたので、少なくとも第２基板の外側面と封止材との間に空間が形成されることになる。この空間によって、急激な温度変化が生じた場合において、封止材が膨張するときのためのマージンが確保されることとなる。当該マージンを確保することにより、封止材が膨張した場合であっても、少なくとも第２基板が破損したり封止材が少なくとも第２基板から剥離したりするのを回避することができる。これにより、温度変化の激しい環境下においても破損する虞が少なく、信頼性に優れた電気泳動表示装置を得ることができる。
【０００８】
上記の電気泳動表示装置は、前記封止材は前記電気泳動シート及び前記第２基板に接しており、前記封止材のうち前記第２基板に接する部分の前記貫通孔の径は、前記封止材のうち前記電気泳動シートに接する部分の前記貫通孔の径よりも大きくなっていることを特徴とする。  
本発明によれば、封止材が電気泳動シート及び第２基板に接しており、封止材のうち第２基板に接する部分の貫通孔の径が封止材のうち電気泳動シートに接する部分の貫通孔の径よりも大きくなっていることとしたので、当該封止材のうち第２基板に接する部分において封止材の膨張マージンをより大きく確保することができる。これにより、温度変化による破損を一層確実に回避することができ、より信頼性に優れた電気泳動表示装置を得ることができる。
【０００９】
上記の電気泳動表示装置は、断面視において前記封止材は、前記第１基板の外側面及び前記第２基板の外側面の両方に対して凹形状として形成されていることを特徴とする。  
本発明によれば、断面視において封止材は、第１基板の外側面及び第２基板の外側面の両方に対して凹形状として形成されていることとしたので、第１基板及び第２基板の両側にマージンを確保することができる。これにより、より破損の虞が少なく、より信頼性に優れた電気泳動表示装置を得ることができる。
【００１０】
上記の電気泳動表示装置は、前記封止材は前記電気泳動シート及び前記第１基板に接しており、前記封止材のうち前記第１基板に接する部分の前記貫通孔の径は、前記封止材のうち前記電気泳動シートに接する部分の前記貫通孔の径よりも大きくなっていることを特徴とする。  
本発明によれば、封止材が電気泳動シート及び第１基板に接しており、封止材のうち第１基板に接する部分の貫通孔の径が封止材のうち電気泳動シートに接する部分の貫通孔の径よりも大きくなっていることとしたので、当該封止材のうち第１基板に接する部分において封止材の膨張マージンをより大きく確保することができる。これにより、温度変化による破損を一層確実に回避することができ、より信頼性に優れた電気泳動表示装置を得ることができる。
【００１１】
上記の電気泳動表示装置は、断面視において前記封止材は、少なくとも前記第２基板の外側面に対して前記電気泳動シート側に湾曲していることを特徴とする。  
本発明によれば、断面視において封止材が少なくとも第２基板の外側面に対して電気泳動シート側に湾曲していることとしたので、封止材のうち湾曲した部分においては湾曲面に沿って均一に膨張することになる。このため、当該封止材の湾曲部側の基板の一部に極端な圧力が加わるのを回避することができる。これにより、当該基板の破損を一層確実に防ぐことができ、より信頼性に優れた電気泳動表示装置を得ることができる。
【００１２】
本発明に係る電子機器は、上記の電気泳動表示装置を搭載したことを特徴とする。  
本発明によれば、温度変化の激しい環境下においても破損する虞が少なく、信頼性に優れた電気泳動表示装置が搭載されているので、動作信頼性の高い電子機器を得ることができる。
【発明を実施するための最良の形態】
【００１３】
［第１実施形態］  
以下、図面に基づき、本発明の第１実施形態を説明する。  
図１は、本実施形態に係る電気泳動表示装置を備えた腕時計（電子機器）１の正面図である。  
同図に示すように、腕時計１は、時計ケース２と、当該時計ケース２に連結された一対のバンド３とを主体として構成されている。
【００１４】
時計ケース２は、ステンレス等の金属又はプラスチック樹脂等の樹脂からなる。時計ケース２の正面には、表示部５０と、秒針２１と、分針２２と、時針２３とが設けられている。時計ケース２の側面には、操作子としての竜頭１０と操作ボタン１１とが設けられている。竜頭１０は、ケース内部に設けられる巻真（図示せず）に連結されており、当該巻真と一体となって多段階（例えば２段階）で押し引き自在、かつ、回転自在に設けられている。
【００１５】
図２は、腕時計１の側断面図である。  
同図に示すように、時計ケース２の内部には収容部２Ａが設けられている。収容部２Ａには、ムーブメント４と表示部５０とが収容されている。
【００１６】
ムーブメント４は、秒針２１、分針２２及び時針２３からなるアナログ指針が連結された運針機構（図示せず）を有している。この運針機構が前記アナログ指針２１〜２３を回転駆動することにより、設定された時刻を表示する時刻表示部として機能するようになっている。
【００１７】
表示部５０は、例えばアクティブマトリクス駆動の電気泳動表示装置５によって構成されており、ムーブメント４の時計正面側に配置されている。表示部５０の表示面は、ここでは円形状になっている。表示面の形状については、円形状のほか、例えば四角形、正八角形状、十六角形状など、他の形状になっていても構わない。
【００１８】
電気泳動表示装置５の中央部には、表裏を貫通する貫通孔５ａが形成されている。貫通孔５ａには、前記ムーブメント４の運針機構（図示せず）の秒車２４、２番車２５及び筒車２６の各軸が挿入されている。各軸の先端には、上述した秒針２１、分針２２及び時針２３がそれぞれ取り付けられている。また、電気泳動表示装置５は、図中破線で示した表示領域５ｂにおいて表示を行うようになっている。したがって、貫通孔５ａは平面視で表示領域５ｂ内に設けられていることになる。
【００１９】
収容部２Ａの一端側（時計正面側）には、ガラス製又は樹脂製の透明カバー７が設けられている。この透明カバー７は、樹脂製又は金属製の圧入リング６を介して収容部２Ａに圧入固定されている。収容部２Ａの他端側（時計裏側）には、パッキン８を介して裏蓋９が螺合されている。裏蓋９及び透明カバー７によって時計ケース２の内部の密封性が確保されている。
【００２０】
図３は電気泳動表示装置５のうち表示領域５ｂの構成を概略的に示す断面図である。  
同図に示すように、電気泳動表示装置５は、第１基板としての素子基板３０、電気泳動シート３２、及び第２基板としてのカバーガラス３１を備えており、素子基板３０の表面に電気泳動シート３２が貼り付けられ、当該電気泳動シート３２の表面にカバーガラス３１を配置した構成になっている。
【００２１】
素子基板３０は、例えばガラス基板、石英基板、シリコン基板、ガリウム砒素基板などの無機基板や、ポリイミド、ポリエチレンテレフタレート（ＰＥＴ）、ポリエチレンナフタレート（ＰＥＮ）、ポリメチルメタクリレート（ＰＭＭＡ）、ポリカーボネート（ＰＣ）、ポリエーテルスルホン（ＰＥＳ）、芳香族ポリエステル（液晶ポリマー）等で構成されるプラスチック基板（樹脂基板）などを用いた基板上に不図示の駆動層が形成された構成になっている。駆動層には各画素に設けられる画素電極やスイッチング素子、当該スイッチング素子に接続されるデータ線及び走査線などが形成されている。平面的な駆動層の形成領域は、表示領域５ｂと略一致している。素子基板３０の厚さは０．５ｍｍ程度になっている。なお、本実施形態においては、好適な事例として無機基板を用いることとして説明する。
【００２２】
電気泳動シート３２は透明基板（第２基板）３３、電気泳動層３４及び接着層３５を有している。  
透明基板３３は電気泳動層３４を保持する基板であり、例えばポリエチレンテレフタレート（ＰＥＴ）、ポリエーテルスルホン（ＰＥＳ）、ポリカーボネイト（ＰＣ）など光透過性の高い材料からなる基板である。透明基板３３の表面３３ａ側は電気泳動表示装置５の表示面になっている。透明基板３３の内面３３ｂにはほぼ全面に不図示の共通電極が形成されている。共通電極は例えばＩＴＯなどの光透過性の高い導電材料で構成されており、不図示の上下導通材によって素子基板３０に接続されている。
【００２３】
電気泳動層３４は複数のマイクロカプセル（電気泳動物質層）を有している。なお、マイクロカプセルの図示は省略している。  
マイクロカプセルは電気泳動分散液が封入された略球状のカプセルであり、各カプセルの直径はほぼ同一（５０μｍ〜１００μｍ）になっている。マイクロカプセルのカプセル壁膜を形成する材料としては、アラビアガム・ゼラチンの複合膜、ウレタン樹脂、ウレア樹脂、尿素樹脂などの化合物が挙げられる。マイクロカプセルに封入された電気泳動分散液は、複数の電気泳動粒子と、当該電気泳動粒子を分散させるための液層分散媒とからなる。
【００２４】
液層分散媒としては、水やアルコール系溶媒、各種エステル類、ケトン類、脂肪族炭化水素、脂環式炭化水素、芳香族炭化水素、ハロゲン化炭化水素、カルボン酸塩又はその他の種々の油類等の単独、またはこれらの混合物に界面活性剤等を配合したものを用いることができる。
【００２５】
電気泳動粒子としては、液相分散媒中で電位差による電気泳動により移動する性質を有する有機あるいは無機の粒子（高分子あるいはコロイド）を用いることができる。具体的には、カーボンブラック、アニリンブラック等の黒色顔料、二酸化チタン等の白色顔料、モノアゾのアゾ系顔料、イソインドリノン等の黄色顔料、モノアゾのアゾ系顔料、キナクリドンレッド等の赤色顔料、フタロシアニンブルー等の青色顔料、フタロシアニングリーン等の緑色顔料等の１種又は２種以上を用いることができる。これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００２６】
マイクロカプセルには、例えば白色顔料である二酸化チタンと黒色顔料であるカーボンブラックとの二種類の電気泳動粒子が封入されており、一方が負に、他方が正に帯電されている。勿論他の電気泳動粒子を用いても構わないし、電気泳動粒子を一種類のみ用い、これを共通電極側、あるいは画素電極側に泳動させることで表示可能となるように構成しても構わない。
【００２７】
接着層３５は、バインダを兼ねた熱硬化タイプの接着剤である。接着層３５としては、マイクロカプセルのカプセル壁膜に対する親和性が良好で、共通電極および画素電極に対する接着性に優れ、かつ絶縁性の良い接着剤であることが好ましい。また、熱硬化タイプではあるが、硬化後も弾性がある接着剤が好ましい。
【００２８】
カバーガラス３１は光透過性が高く、平坦度が優れ、キズつきにくいガラスなどが適している。具体的には、無機ガラスや、クリスタルガラスを用いることができる。また、サファイヤガラスや、アクリルガラスであっても良い。カバーガラス３１の厚さは０．３ｍｍ程度になっている。なお、本実施形態においては、好適な事例として無機ガラスを用いることとして説明する。
【００２９】
このカバーガラス３１と電気泳動シート３２との間は、透明な接着剤（不図示）により固定されている。電気泳動表示装置５の周縁部においては、カバーガラス３１と素子基板３０との間に不図示のシール材が設けられている。当該シール材を構成する材料としては、例えばエポキシ系、アクリル系、シリコン系の樹脂などが挙げられる。
【００３０】
また、電気泳動表示装置５には、平面視で表示領域５ｂのほぼ中央部に上記の素子基板３０、電気泳動シート３２及びカバーガラス３１を貫通するように貫通孔５ａが設けられている。貫通孔５ａは素子基板３０、電気泳動シート３２及びカバーガラス３１の面方向（図中左右方向）に対して垂直となるように形成されている。
【００３１】
貫通孔５ａ内には封止材３６が設けられている。この封止材３６は電気泳動シート３２のうち貫通孔５ａに露出する部分を封止する。封止材３６を構成する材料としては、上記のシール材と同様に例えばエポキシ系、アクリル系、シリコン系の樹脂などが挙げられる。なお、本実施形態においては、好適な事例として熱硬化型のエポキシ樹脂（接着剤）を用いることとして説明する。
【００３２】
封止材３６は、素子基板３０の基板面３０ｂ側とカバーガラス３１の基板面３１ａ側とを連通する連通孔３６ａを有している。この連通孔３６ａには上記のムーブメント４の運針機構（図示せず）の秒車２４、２番車２５及び筒車２６の各軸が挿入されるようになっている。連通孔３６ａが設けられた状態での封止材３６の厚さ、すなわち、封止部分の厚さは、０．７ｍｍ〜０．８ｍｍ程度になっている。
【００３３】
貫通孔５ａの形成方向（図中上下方向）における封止材３６の両端部、すなわち端部３６ｂ及び端部３６ｃのうち例えば端部３６ｂは、断面視で基板面３１ａと電気泳動層３４の上面３４ａとの間に位置する領域に設けられている。封止材３６の端部３６ｂと基板面３１ａとの間は空間３７となっている。換言すると、封止材３６は、カバーガラス３１の外側面である基板面３１ａに対して、その端部３６ｂが凹形状となるように形成されている。
【００３４】
ちなみに、前述した従来の構成では、封止材３６の端部３６ｂがカバーガラス３１基板面３１ａ面と同一面になるように形成されていた。つまり、本実施形態の構成によれば、従来の構成に比べて、凹形状の分だけ、封止材３６とカバーガラス３１とが密着する面積が少なくなるため、有機材料と無機材料との熱膨張係数の差による、歪の発生を抑制することができる。
【００３５】
この空間（凹形状）３７は、電気泳動表示装置５に急激な温度変化が生じた場合において、封止材３６が膨張する時のためのマージンとなる。封止材３６の端部３６ｂの位置としては、電気泳動シート３２の防湿性能を確保することが可能な範囲で設定することができる。具体的には、端部３６ｂの位置が、透明基板３３の表面３３ａから０．１ｍｍ以上高く、基板面３１ａから０．０５ｍｍ以上低いことが好ましい。
【００３６】
なお、封止材３６を充填する際に、有機材料と無機材料との接着性を向上させるために、あらかじめ貫通孔５ａ内にシランカップリング剤を塗布することが好ましい。この場合、無機材料であるカバーガラス３１と素子基板３０とに重点的に塗布すると良い。
【００３７】
次に、上記のように構成された電気泳動表示装置１の動作を簡単に説明する。  
画素電極と共通電極との間に共通電極の電圧が相対的に高くなるように電圧を印加すると、正に帯電された黒色の電気泳動粒子はクーロン力によってマイクロカプセル内のうち画素電極側に引き寄せられる。一方、負に帯電された白色の電気泳動粒子はクーロン力によってマイクロカプセル内の共通電極側に引き寄せられる。この結果、マイクロカプセル内の透明基板３０側には白色の電気泳動粒子が集まることになり、電気泳動表示装置５の表示領域５ｂにはこの白色の電気泳動粒子の色（白色）が表示されることとなる。
【００３８】
逆に、画素電極と共通電極との間に画素電極の電位が相対的に高くなるように電圧を印加すると、負に帯電された白色の電気泳動粒子はクーロン力によって画素電極側に引き寄せられる。一方、正に帯電された黒色の電気泳動粒子はクーロン力によって共通電極側に引き寄せられる。この結果、マイクロカプセル内の透明基板側には黒色の電気泳動粒子が集まることになり、電気泳動表示装置５の表示領域５ｂには黒色の電気泳動粒子の色（黒色）が表示されることとなる。
【００３９】
次に、上記のように構成された電気泳動表示装置５の製造方法を説明する。  
まず、図４に示すように、素子や配線等を形成した素子基板３０の表示領域５ｂに電気泳動シート３２を貼り付け、当該電気泳動シート３２の透明基板３３上に不図示のカバーガラス３１を配置する。
【００４０】
次に、図５に示すように、表示領域５ｂのほぼ中央部に、素子基板３０、電気泳動シート３２及びカバーガラス３１を貫通するように貫通孔５ａを形成する。
【００４１】
次に、図６に示すように、貫通孔５ａのうち素子基板３０側を平坦な板状部材６０によって塞いだ状態で、貫通孔５ａ内に封止材３６を形成する。端部３６ｂがカバーガラス３１の基板面３１ａと電気泳動層３４の上面３４ａとの間の領域に位置するように封止材３６を形成する。電気泳動層３４のうち貫通孔５ａに露出した部分が封止材３６によって封止されると共に、封止材３６の端部３６ｂと基板面３１ａとの間に空間３７が形成される。
【００４２】
次に、図７に示すように、封止材３６の平面視中央部にカバーガラス３１側の空間と素子基板３０側の空間とを連通する連通孔３６ａを形成する。  
このようにして、電気泳動表示装置５を製造する。
【００４３】
本実施形態によれば、素子基板３０、電気泳動シート３２及びカバーガラス３１を貫通する貫通孔５ａが設けられており、当該貫通孔５ａには、電気泳動シート３２のうち貫通孔５ａに露出する部分を封止すると共に、素子基板３０のうち電気泳動シート３２とは反対の基板面３１ａ側と素子基板３０のうち電気泳動シート３２とは反対の基板面３０ｂ側とを連通する連通孔３６ａを有する封止材３６が設けられており、貫通孔５ａの形成方向における封止材３６の端部３６ｂが断面視で基板面３１ａと電気泳動層３４との間に位置する領域に設けられていることとしたので、基板面３１ａと封止材３６の端部３６ｂとの間に空間３７が形成されることになる。
【００４４】
電気泳動シート３２は水分を嫌うため、貫通孔５ａに露出した電気泳動シート３２の端部を封止材３６によって覆うことによって、電気泳動シート３２への水分の浸入を防止することができる。
【００４５】
さらに、この空間３７によって、急激な温度変化が生じた場合において封止材３６が膨張する時のためのマージンが確保されることとなる。封止材３６のマージンを確保することにより、封止材３６が膨張した場合であっても、カバーガラス３１が破損したり封止材３６が剥離したりするのを回避することができる。これにより、温度変化の激しい環境下に置いても破損する虞の少ない電気泳動表示装置５を得ることができる。従って、信頼性に優れた電気泳動表示装置５を提供することができる。
【００４６】
本発明の技術範囲は上記実施形態に限定されるものではなく、本発明の趣旨を逸脱しない範囲で適宜変更を加えることができる。  
上記実施形態においては、封止材３６の端部３６ｂ及び端部３６ｃのうち端部３６ｂのみについて断面視で基板面３１ａと電気泳動層３４の上面３４ａとの間に位置する領域に設けられた構成を例に挙げて説明したが、これに限られることは無く、例えば図８に示すように、端部３６ｃについても断面視で基板面３０ｂと電気泳動層３４の下面３４ｂとの間に位置する領域に設けられた構成としても構わない。
【００４７】
また、図９に示すように、封止材３６の端部３６ｃの一部のみが断面視で基板面３０ｂと電気泳動層３４の下面３４ｂとの間に位置する領域に設けられていると共に、端部３６ｂの一部のみが断面視で基板面３１ａと電気泳動層３４の上面３４ａとの間に位置する領域に設けられている構成としても構わない。この構成では、基板面３１ａと端部３６ｂとの間に空間３７ａが形成されると共に、基板面３０ｂと端部３６ｃとの間にも空間３７ｂが形成されることになる。端部３６ｂ及び端部３６ｃの一方のみが当該構成であっても構わない。
【００４８】
また、図１０に示すように、封止材３６の端部３６ｂが断面視で基板面３１ａに対して電気泳動シート３２側に湾曲している構成であっても構わない。この構成では、基板面３１ａと端部３６ｂとの間に空間３７ｃが形成されることになる。この場合、湾曲部分が基板面３１ａと電気泳動層３４の上面３４ａとの間に位置する領域に設けられるように形成する。湾曲部分が端部３６ｃ側に形成されている構成であっても構わない。
【００４９】
また、図１１に示すように、端部３６ｂが断面視で基板面３１ａに対して湾曲している構成であり、端部３６ｃの一部が断面視で基板面３０ｂと電気泳動層３４の下面３４ｂとの間に位置する領域に設けられた構成としても構わない。この場合、基板面３１ａと端部３６ｂとの間に空間３７ｃが形成されると共に、基板面３０ｂと端部３６ｃとの間に空間３７ｂが形成されることになる。この構成は、上記変形例の構成を組み合わせたものである。図１１の組み合わせの他、端部３６ｂ及び端部３６ｃとして他の構成を組み合わせたものであっても勿論構わない。
【図面の簡単な説明】
【００５０】
【図１】本発明の表示装置に係る腕時計の正面図。
【図２】腕時計の側断面図。
【図３】電気泳動表示装置の側断面図。
【図４】電気泳動表示装置の製造過程を示す工程図。
【図５】同、工程図。
【図６】同、工程図。
【図７】同、工程図。
【図８】電気泳動表示装置の他の構成を示す側断面図。
【図９】電気泳動表示装置の他の構成を示す側断面図。
【図１０】電気泳動表示装置の他の構成を示す側断面図。
【図１１】電気泳動表示装置の他の構成を示す側断面図。
【符号の説明】
【００５１】
１…腕時計（電子機器）  ５…電気泳動表示装置  ５ａ…貫通孔  ３０…素子基板（第１基板）  ３１…カバーガラス（第３基板）  ３２…電気泳動層  ３３…透明基板（第２基板）  ３４…電気泳動層  ３５…接着層  ３６…封止材  ３６ａ…連通孔  ３６ｂ、３６ｃ…端部  ３７、３７ａ〜３７ｃ…空間
【図１】
2009217128.tif 000003
【図２】
2009217128.tif 000004
【図３】
2009217128.tif 000005
【図４】
2009217128.tif 000006
【図５】
2009217128.tif 000007
【図６】
2009217128.tif 000008
【図７】
2009217128.tif 000009
【図８】
2009217128.tif 000010
【図９】
2009217128.tif 000011
【図１０】
2009217128.tif 000012
【図１１】
2009217128.tif 000013